(57)【特許請求の範囲】
【請求項１】
空洞部１ａと、この空洞部１ａを外部に開口する空気流通口６を有した装置本体１と、
前記装置本体１に設けられ、当該装置本体１を身体に装着するための着用具３を備え、
前記装置本体１の空洞部１ａ内に、薬剤含浸体２ａを有した薬剤保持手段２を、その装置本体１が動作することで回転するように取付け、
前記薬剤保持手段２は、回転することで空洞部１ａ内の空気を撹拌して薬剤含浸体２ａから薬剤を揮散し、その揮散した薬剤が前記空気流通口６から大気に拡散するようにし、
この薬剤保持手段２と前記装置本体１に、第１の磁石４と第２の磁石５を、当該薬剤保持手段２の回転によって反発力が生じ、その薬剤保持手段２が反対方向に回転して回転を助長するように取付け、
前記装置本体１と着用具３は、その装置本体１の裏面１ｂが身体に向かうように着用される構成とし、
前記空気流通口６は装置本体１の裏面１ｂに形成されて身体に向けて空気が流れるようにしたことを特徴とする着用型薬剤拡散装置。
【請求項２】
空洞部１ａと、この空洞部１ａを外部に開口する空気流通口６を有した装置本体１と、
前記装置本体１に設けられ、当該装置本体１を身体に装着するための着用具３と、
前記装置本体１の空洞部１ａ内に設けられ薬剤含浸体２ａを有した薬剤保持体３０と、  前記装置本体１の空洞部１ａ内に、その装置本体１が動作することで回転するように取付けた回転体２０を備え、
前記回転体２０は、回転することで空洞部１ａ内の空気を撹拌して薬剤含浸体２ａから薬剤を揮散し、その揮散した薬剤が前記空気流通口６から大気に拡散するようにし、
この回転体２０と前記装置本体１に、第１の磁石４と第２の磁石５を、当該回転体２０の回転によって反発力が生じ、その回転体２０が反対方向に回転して回転を助長するように取付け、
前記装置本体１と着用具３は、その装置本体１の裏面１ｂが身体に向かうように着用される構成とし、
前記空気流通口６は装置本体１の裏面１ｂに形成されて身体に向けて空気が流れるようにしたことを特徴とする着用型薬剤拡散装置。
【請求項３】
取付本体１０とカバー体１１を備え、空洞部１ａと、この空洞部１ａを外部に開口する空気流通口６を有した装置本体１と、
前記装置本体１の取付本体１０に設けられ、当該装置本体１を身体に装着するための着用具３と、
前記装置本体１の取付本体１０に取付けられ、その空洞部１ａ内に臨む薬剤含浸体２ａを有した薬剤保持体３０を備え、
前記カバー体１１は、その装置本体１が動作することで取付本体１０に対して回転し、かつ回転することで空洞部１ａ内の空気を撹拌して薬剤含浸体２ａから薬剤を揮散し、その揮散した薬剤が前記空気流通口６から大気に拡散するようにし、
このカバー体１１と前記装置本体１の取付本体１０に、第１の磁石４と第２の磁石５を、当該カバー体１１の回転によって反発力が生じ、そのカバー体１１が反対方向に回転して回転を助長するように取付け、
前記装置本体１の取付本体１０と着用具３は、その取付本体１０の裏面が身体に向かうように着用される構成とし、
前記空気流通口６は取付本体１０の裏面１ｂに形成されて身体に向けて空気が流れるようにしたことを特徴とする着用型薬剤拡散装置。
【請求項４】
装置本体１の裏面１ｂを凹凸形状とし、その凹部に空気流通口６が開口している請求項１又は２記載の着用型薬剤拡散装置。
【請求項５】
取付本体１０の裏面１ｂを凹凸形状とし、その凹部に空気流通口６が開口している請求項３記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠けるので、揮散する薬剤の量が少ないことがある。
【０００８】
また、前述したようにモータ、電池を使用しない装置は、薬剤保持体からの薬剤の揮散が風の影響を受け易いし、揮散した薬剤の大気への拡散のいきおいが弱いので薬剤の拡散範囲が狭く、薬剤の揮散に風の影響を受け易い。
要するに、身体に着用して使用する着用型薬剤拡散装置で重要なことは、基本的には屋外で使用するものであること、またその効能範囲は、主として着用部位の周りや身体の周りであることである。
すなわち、屋外の使用環境は、通常、風（空気の流れ）があり、風の強弱によって薬剤の拡散範囲が大きく作用される。また、効能範囲外に飛散する。そのために無駄になる薬剤が多い。
【０００９】
本発明の目的は、モータ、電池を使用せずに多くの薬剤を確実に揮散することができると共に、薬剤の揮散や揮散した薬剤の拡散に風の影響を受け難く、屋外での使用の際に、いつも揮散する薬剤量が変わらず、一定量の薬剤を効能範囲に拡散できるようにした着用型薬剤拡散装置とすることである。
【課題を解決するための手段】
【００１０】
第１の発明は、空洞部１ａと、この空洞部１ａを外部に開口する空気流通口６を有した装置本体１と、
前記装置本体１に設けられ、当該装置本体１を身体に装着するための着用具３を備え、
前記装置本体１の空洞部１ａ内に、薬剤含浸体２ａを有した薬剤保持手段２を、その装置本体１が動作することで回転するように取付け、
前記薬剤保持手段２は、回転することで空洞部１ａ内の空気を撹拌して薬剤含浸体２ａから薬剤を揮散し、その揮散した薬剤が前記空気流通口６から大気に拡散するようにし、
この薬剤保持手段２と前記装置本体１に、第１の磁石４と第２の磁石５を、当該薬剤保持手段２の回転によって反発力が生じ、その薬剤保持手段２が反対方向に回転して回転を助長するように取付け、
前記装置本体１と着用具３は、その装置本体１の裏面１ｂが身体に向かうように着用される構成とし、
前記空気流通口６は装置本体１の裏面１ｂに形成されて身体に向けて空気が流れるようにしたことを特徴とする着用型薬剤拡散装置である。
【００１１】
第２の発明は、空洞部１ａと、この空洞部１ａを外部に開口する空気流通口６を有した装置本体１と、
前記装置本体１に設けられ、当該装置本体１を身体に装着するための着用具３と、
前記装置本体１の空洞部１ａ内に設けられ薬剤含浸体２ａを有した薬剤保持体３０と、  前記装置本体１の空洞部１ａ内に、その装置本体１が動作することで回転するように取付けた回転体２０を備え、
前記回転体２０は、回転することで空洞部１ａ内の空気を撹拌して薬剤含浸体２ａから薬剤を揮散し、その揮散した薬剤が前記空気流通口６から大気に拡散するようにし、
この回転体２０と前記装置本体１に、第１の磁石４と第２の磁石５を、当該回転体２０の回転によって反発力が生じ、その回転体２０が反対方向に回転して回転を助長するように取付け、
前記装置本体１と着用具３は、その装置本体１の裏面１ｂが身体に向かうように着用される構成とし、
前記空気流通口６は装置本体１の裏面１ｂに形成されて身体に向けて空気が流れるようにしたことを特徴とする着用型薬剤拡散装置である。
【００１２】
第３の発明は、取付本体１０とカバー体１１を備え、空洞部１ａと、この空洞部１ａを外部に開口する空気流通口６を有した装置本体１と、
前記装置本体１の取付本体１０に設けられ、当該装置本体１を身体に装着するための着用具３と、
前記装置本体１の取付本体１０に取付けられ、その空洞部１ａ内に臨む薬剤含浸体２ａを有した薬剤保持体３０を備え、前記カバー体１１は、その装置本体１が動作することで取付本体１０に対して回転し、かつ回転することで空洞部１ａ内の空気を撹拌して薬剤含浸体２ａから薬剤を揮散し、その揮散した薬剤が前記空気流通口６から大気に拡散するようにし、
このカバー体１１と前記装置本体１の取付本体１０に、第１の磁石４と第２の磁石５を、当該カバー体１１の回転によって反発力が生じ、そのカバー体１１が反対方向に回転して回転を助長するように取付け、
前記装置本体１の取付本体１０と着用具３は、その取付本体１０の裏面が身体に向かうように着用される構成とし、
前記空気流通口６は取付本体１０の裏面１ｂに形成されて身体に向けて空気が流れるようにしたことを特徴とする着用型薬剤拡散装置である。
【００１３】
第４の発明は、第１・第２の発明において、装置本体１の裏面１ｂを凹凸形状とし、その凹部に空気流通口６が開口している着用型薬剤拡散装置である。
【００１４】
第５の発明は、第３の発明において取付本体１０の裏面１ｂを凹凸形状とし、その凹部に空気流通口６が開口している着用型薬剤拡散装置である。
【発明の効果】
【００１５】
第１の発明によれば、身体を動かすことで装置本体１が動作し、それによって薬剤保持手段２が一方向に回転する。
その薬剤保持手段２が一方向に回転すると第１の磁石４が第２の磁石５に接近して反発力が生じ、その反発力によって薬剤保持手段２が他方向に回転し、再び第１の磁石４が第２の磁石５に接して反発力が生じて薬剤保持手段２が一方向に回転する。
この動作を複数回繰り返すことで、薬剤保持手段２は複数回往復回転する。
【００１６】
このように装置本体１の動作による薬剤保持手段２の回転を、第１の磁石４と第２の磁石５とで複数回の往復回転に助長すると共に、その薬剤保持手段２が回転することで空洞部１ａ内の空気が撹拌され、その空気が薬剤含浸体２ａに十分に触れるので、多くの薬剤が揮散する。
したがって、モータ、電池を使用せずに多くの薬剤を空気流通口６から大気に拡散することができる。
【００１７】
また、空気流通口６から空洞部１ａ内に空気が入り込むことがほとんどないし、その空気流通口６から薬剤が身体に向けて拡散するので、薬剤の揮散が揮散した薬剤の拡散に風の影響を受け難く、屋外での使用の際に、いつも揮散する薬剤量が変わらず、一定量の薬剤を効能範囲に拡散できる。
【００１８】
第２の発明によれば、身体を動かすことで装置本体１が動作し、それによって回転体２０が一方向に回転する。
その回転体２０が一方向に回転すると第１の磁石４が第２の磁石５に接近して反発力が生じ、その反発力によって回転体２０が他方向に回転し、再び第１の磁石４が第２の磁石５に接して反発力が生じて回転体２０が一方向に回転する。
この動作を複数回繰り返すことで、回転体２０は複数回往復回転する。
【００１９】
このように装置本体１の動作による回転体２０の回転を、第１の磁石４と第２の磁石５とで複数回の往復回転に助長すると共に、その回転体２０が回転することで空洞部１ａ内の空気が撹拌され、その空気が薬剤含浸体２ａに十分に触れるので、多くの薬剤が揮散する。
したがって、モータ、電池を使用せずに多くの薬剤を空気流通口６から大気に拡散することができる。
【００２０】
また、空気流通口６から空洞部１ａ内に空気が入り込むことがほとんどないし、その空気流通口６から薬剤が身体に向けて拡散するので、薬剤の揮散が揮散した薬剤の拡散に風の影響を受け難く、屋外での使用の際に、いつも揮散する薬剤量が変わらず、一定量の薬剤を効能範囲に拡散できる。
【００２１】
第３の発明によれば、身体を動かすことで装置本体１が動作し、それによってカバー体１１が一方向に回転する。
そのカバー体１１が一方向に回転すると第１の磁石４が第２の磁石５に接近して反発力が生じ、その反発力によってカバー体１１が他方向に回転し、再び第１の磁石４が第２の磁石５に接して反発力が生じてカバー体１１が一方向に回転する。
この動作を複数回繰り返すことで、カバー体１１は複数回往復回転する。
【００２２】
このように装置本体１の動作によるカバー体１１の回転を、第１の磁石４と第２の磁石５とで複数回の往復回転に助長すると共に、そのカバー体１１が回転することで空洞部１ａ内の空気が撹拌され、その空気が薬剤含浸体２ａに十分に触れるので、多くの薬剤が揮散する。
したがって、モータ、電池を使用せずに多くの薬剤を空気流通口６から大気に拡散することができる。
【００２３】
また、空気流通口６から空洞部１ａ内に空気が入り込むことがほとんどないし、その空気流通口６から薬剤が身体に向けて拡散するので、薬剤の揮散が揮散した薬剤の拡散に風の影響を受け難く、屋外での使用の際に、いつも揮散する薬剤量が変わらず、一定量の薬剤を効能範囲に拡散できる。
【００２４】
第４・第５の発明によれば、身体に着用して使用する際に、空気流通口６が身体で閉塞されることがない。
【発明を実施するための最良の形態】
【００２５】
本発明の第１の実施の形態を図１〜図５に基づいて説明する。
装置本体１と、この装置本体１の空洞部１ａに回転可能に設けた薬剤保持手段２と、前記装置本体１に取付けた着用具３と、前記装置本体１と前記薬剤保持手段２とに設けられて当該薬剤保持手段２の回転を助長する第１の磁石４、第２の磁石５で着用型薬剤拡散装置としてある。
【００２６】
前記装置本体１は着用具３で人間、動物などの身体に着用される。例えば、人間の腰に吊り下げて着用される。
前記薬剤保持手段２は、薬剤有効成分を主成分とする薬剤（薬剤組成物）を含浸した薬剤含浸体２ａを有し、その薬剤含浸体２ａに空気が触れることで前記薬剤が揮散する。
前記薬剤保持手段２は、回転することで空洞部１ａ内の空気を撹拌し、その薬剤含浸体２ａに空気が触れると共に、揮散した薬剤が空気流通口６から大気に拡散し、かつ装置本体１を動作することで回転するように設けてある。
【００２７】
前記第１の磁石４は薬剤保持手段２に取付けてある。前記第２の磁石５は装置本体１に取付けてあり、その薬剤保持手段２が一方向に回転すると第１の磁石４が第２の磁石５に接近して反発力が生じるようにしてある。つまり、第１の磁石４と第２の磁石５の同極が対向することで反発力が生じる。
この反発力によって薬剤保持手段２が他方向に回転し、再び第１の磁石４が第２の磁石５に接して反発力が生じて薬剤保持手段２が一方向に回転する。
この動作を複数回繰り返しすることで、薬剤保持手段２は複数回往復回転する。
【００２８】
このように、薬剤保持手段２が回転することで、空洞部１ａ内の空気が撹拌され、その薬剤含浸体２ａに対して空気が相対的に流動することになるので、多くの薬剤が揮散する。
しかも、第１の磁石４と第２の磁石５とで薬剤保持手段２の回転が助長されて複数回往復回転するので、装置本体１を僅かに動作することで薬剤保持手段２が確実に回転する。
したがって、モータ、電池を用いずに薬剤保持手段２の薬剤含浸体２ａから多くの薬剤を確実に揮散することができる。
【００２９】
前記装置本体１と着用具３は、その装置本体１の裏面１ｂが身体に向かうように着用される構成としてある。
前記空気流通口６は装置本体１の裏面１ｂに形成されて身体に向けて空気が流れるようにしてある。
前記装置本体１の空気流通口６以外の部分は閉塞されて、空洞部１ａは空気流通口６のみで外部に開口している。
例えば、装置本体１の表面１ｃ、周面１ｄは閉塞されている。
【００３０】
このようであるから、身体に着用して使用する時に、揮散した薬剤は空気流通口６から身体に向けて拡散されるので、効率良く薬剤を身体の回り（効能範囲）に拡散できる。
【００３１】
また、大気中の風（空気の流れ）は装置本体１の表面１ｃ、周面１ｄに主として当たり、裏面１ｂにはほとんど当たることがないので、その風によって空気流通口６から空洞部１ａ内に空気が入り込むことがほとんどなく、風の影響によって薬剤含浸体２ａから薬剤が揮散することがほとんどない。
また、装置本体１の空洞部１ａ内は、風の影響をほとんど受けないことから余分な空気の流れが起こらず、薬剤保持手段２の回転だけで薬剤が揮散するので薬剤の揮散がたえず安定かつ均一であり、使用する日時毎で揮散する薬剤量が大きく変わらない。また、風による飛散がないので無駄になる薬剤ロスも少ない。
したがって、屋外で使用する時でも風の影響を受け難く、薬剤含浸体２ａからの薬剤の揮散量も大きく変わらず、いつも一定量の薬剤を大気に拡散することができる。また、飛散による無駄になる薬剤も少ない。
【００３２】
要するに、身体に着用して使用する着用型薬剤拡散装置で重要なことは、基本的には屋外で使用するものであること、またその効能範囲は、主として着用部位の周りや身体の周りであることである。
すなわち屋外の使用環境は、通常、風（空気の流れ）があり、風の強弱によって薬剤の拡散範囲が大きく作用される。また、効能範囲外に飛散する。そのために無駄になる薬剤が多い。
また、モータ、電池を用いない本発明の装置で重要なことは、モータ、電池を用いる装置に比較して薬剤保持手段の回転力が弱いこと、また回転が不規則であることである。
すなわち薬剤の拡散範囲が狭く、薬剤の揮散に風の影響を受け易い。そのために薬剤の揮散（量）が不安定である。
【００３３】
そこで、前述のように風に当たりやすい装置本体１の表側である表面１ｃ、周面１ｄを閉塞することで、風を入り難くしかつ表側に飛散する無駄な薬剤をなくすと共に、空気流通口６を身体の着用側である装置本体１の裏側の裏面１ｂに形成することで、揮散した薬剤の全てを身体の周りに拡散できるようにした。さらに、前述のように空気流通口６を装置本体１の裏側の裏面１ｂに形成することで空洞部１ａ内に空気が入り難くなり、いつも揮散する薬剤量が変わらず、一定量の薬剤を大気に拡散するように、薬剤の揮散に風の影響を受け難くした。
【００３４】
次に、各部の好ましい形態を説明する。
前記装置本体１は、取付本体１０とカバー体１１で薬剤収納室１２を有し、その取付本体１０に着用具３が取付けてあると共に、取付本体１０に空気流通口６が形成してある。
この空気流通口６によって薬剤収納室１２が外部に連通し、その薬剤収納室１２に空気が流通する。つまり、この薬剤収納室１２が前述の空洞部１ａである。
前記カバー体１１は取付本体１０に着脱自在に取付けてある。
例えば、前記取付本体１０は、プレート１０ａにリング状の突部１０ｂを設けた形状とし、前記カバー体１１を表面板１１ａと筒体１１ｂを有し、その筒体１１ｂが突部１０ｂに嵌合して取付けられる。
【００３５】
この実施の形態では、取付本体１０のプレート１０ａの背面（装置本体１の裏面１ｂ）は凹凸形状で、その凹部に空気流通口６が開口している。
例えば、プレート１０ａの背面に、リブ１３を複数設けて凸部とし、そのプレート１０ａの背面を凹部とすると共に、空気流通口６を開口してある。
このようにすることで、身体に着用したときに空気流通口６が身体によって閉じられることがない。
【００３６】
前記薬剤保持手段２は、回転体２０と薬剤保持体３０を備えている。
前記回転体２０は装置本体１の薬剤収納室１２内に回転可能に取付けてある。
前記薬剤保持体３０は、前述の薬剤含浸体２ａを備えていると共に、この薬剤保持体３０が回転体２０に着脱自在に取付けられ、回転体２０とともに薬剤保持体３０が装置本体１の薬剤収納室１２で回転する。
【００３７】
このようであるから、カバー体１１を外して薬剤収納室１２を開放することで、使用済みの薬剤保持体３０を回転体２０から取り外し、新しい薬剤保持体３０を回転体２０に取付けることで、薬剤含浸体２ａを交換でき、その交換作業が簡単である。なお、薬剤保持体３０から薬剤含浸体２ａを取り外し、新しい薬剤含浸体２ａを取付けることもできる。
【００３８】
前記回転体２０には撹拌手段、例えば撹拌用の羽根片２１が設けてある。
これによって、回転体２０が回転することで薬剤収納室１２内の空気が撹拌されるので、薬剤含浸体２ａに対する空気の流動が著しくなって、より多量の薬剤が揮散すると共に、薬剤収納室１２に流入、流出する空気の量が多くなり、薬剤が大気に多く拡散される。
【００３９】
前記回転体２０の具体形状を説明する。
前記回転体２０は、円板状の中央プレート２２とリング状の外周プレート２３を放射状の複数のリブ２４で一体的に連結した複数の通気用開口部２５を有した円板形状で、その中央プレート２２に回転軸２６が取付けてあると共に、外周プレート２３に複数のピン２７が設けてある。前記各リブ２４に前述の羽根片２１が設けてある。
前記装置本体１の取付本体１０の中央部には孔１４が形成してあり、この孔１４に前記回転軸２６を回転自在に挿入して支持することで回転体２０を取付本体１０に回転可能に取付けてある。
【００４０】
前記第１の磁石４は回転体２０の外周プレート２３の裏面（回転体２０の裏面）に、前記取付本体１０と対向して固着してある。
前記第２の磁石５は取付本体１０に、前記回転体２０の外周プレート２３と対向して固着してある。
この第１の磁石４と第２の磁石５は前記回転体２０の回転中心（回転軸２６）を中心とする同一の円形軌跡上に位置し、回転体２０が図４で一方向（矢印ａ）に回転すると第１の磁石４が第２の磁石５に接近して反発力が生じ、その反発力で回転体２０が他方向（矢印ｂ）に回転する。
【００４１】
前記薬剤含浸体２ａは、薬剤有効成分を主成分とする薬剤（薬剤組成物）を含浸した不織布などの通気性のシートとしてある。
前記薬剤保持体３０は、通気用開口３１を有した容器３２に薬剤含浸体２ａを入れ、通気用開口３３を有した押えプレート３４を容器３２に嵌合してある。
前記容器３２には複数の穴３５が形成され、この穴３５を前記回転体２０のピン２７に嵌合することで、薬剤保持体３０が回転体２０に着脱自在に取付けてある。
【００４２】
そして、前記回転体２０の通気用開口部２５と薬剤保持体３０の通気用開口３１，３３が相対向し、これらの通気用開口部２５、通気用開口３１，３３を通して空気が薬剤含浸体２ａに触れるようにしてある。
【００４３】
前記着用具３は、フック３ａである。
そして、人間の腰に装着したベルトや、衣服のポケットにフック３ａを引っ掛けて装置本体１を腰に吊り下げて使用する。
この実施の形態では、フック３ａに装置本体１（取付本体１０）を薬剤保持手段２の回転方向に沿って揺動自在に吊り下げ連結する。例えば、前記回転体２０の回転軸２６と平行なピン７で揺動自在（首振り自在）に連結する。
【００４４】
このようにすることで、着用具３を人間の腰のベルトに引っ掛けて吊り下げるようにして着用することで、人間が歩行などすることによって着用具３に対して装置本体１が揺動するので、回転体２０が回転する。
したがって、薬剤保持手段２が確実に連続して回転するので、より多くの薬剤を揮散することができる。
【００４５】
前記着用具３は、バンド、紐や鎖などでも良く、ベルト等に吊り下げたり腰や首など身体の一部に巻く付け吊り下げて使用することができる。
【００４６】
前記薬剤保持手段２は装置本体１の取付本体１０に回転可能に取付けてあるが、その薬剤保持手段２は装置本体１のカバー体１１に回転可能に取付けても良い。
例えば、図２に示す薬剤保持手段２を表裏反転して回転体２０がカバー体１１側で、薬剤保持体３０が取付本体１０側となるようにし、カバー体１１の中央部に孔を形成し、前記回転軸２６をカバー体１１の孔に回転可能に挿入して支持する。
【００４７】
前記回転体２０は、その裏面に中央から四方に向けて複数の羽根片２１（８枚）を有する形状であるが、この羽根片２１は回転体２０の裏面、外周面、又は裏面と表面などに取付けても良いし、この羽根片２１の枚数は限定されない。また、羽根片２１の形状は自由であり、垂直形状、斜めに傾いた形状や湾曲した形状、更には通常のファン形状とすることもできる。
【００４８】
前記羽根片２１は薬剤保持体３０、例えば容器３２の表面、裏面、外周面のいずれか１ヶ所又は複数ヶ所に取付けても良い。
すなわち、薬剤保持手段２に空気撹拌用の羽根片２１を取付ければ良い。
また、回転体２０と薬剤保持体３０を一体として、その回転体２０を取付本体１０（装置本体１）に回転自在で、かつ着脱自在に取付けても良いし、薬剤保持体３０のみで薬剤保持手段２としても良い。
前記薬剤保持体３０は、容器３２の代わりに、不織布よりなる薬剤含浸体２ａの外周を２枚の枠で挟み固定したものでも良い。
【００４９】
また、薬剤は有効成分の他に、溶剤、揮散調整剤、分解防止剤などからなる液製剤である。
本発明の薬剤拡散装置は、薬剤（有効成分）の拡散状況が着用者の動作状態及び使用の環境によって左右され不規則である。このことから、薬剤含浸体２ａは有効成分の有無（効力の有無）を目視で確認できる製剤が好ましい。
製剤としては、薬剤として終点表示機能剤を添加した組成物とし、色変化などを目視する。
また、それ自体が表示機能を有する素材を用いることもできる。
製剤種として液剤に限定されず、ゲル化剤によるゲル製剤、昇華剤などからなる固体製剤などとして用いることもできる。製剤自体が減少、又は消滅し、目視で確認できる製剤が好ましい。
また、液剤と含浸物質を組み合わせ、液の減少を目視確認するようにしても良い。
【００５０】
前記第２の磁石５はカバー体１１に取付けても良い。
また、前記回転体２０の第１の磁石４の取付位置としては、その裏面の外周寄り、又は回転体２０の外周面、又は回転体２０の表面の外周よりが好ましい。一方、取付本体１０、又はカバー体１１の第２の磁石５は、第１の磁石４に対向する取付本体１０の表面の外周寄り、又は取付本体１０の外周面内側、カバー体１１内の外周面、又はカバー体１１内の天面に取付ける。
【００５１】
前記第１・第２の磁石４，５の取付け個数は、特に限定されない。
通常、薬剤保持手段２（薬剤含浸体２ａ）が回転する往復距離（円周の長さ）が長くなるほど多くの薬剤が揮散することから、磁石の取付け個数は各々１つが好ましい。また動作状態によるが、回転する往復距離が長くなると回転途中で反転することもあり、この場合、各々２つ取付ける、又は一方を１つ、他方を２つ取付けるようにしても良い。このことから回転する往復距離（薬剤保持手段２の外径寸法）に応じて取付け個数を決めることが望ましい。
【００５２】
前述の装置本体１、薬剤保持体２、着用具３は、前述したものに限ることはなく、任意な形状とすることができる。
【００５３】
次に、本発明の第２の実施の形態を説明する。
この実施の形態は、前述の第１の実施の形態における回転体２０と薬剤保持体３０を別体とし、その回転体２０を装置本体１の空洞部１ａ内に回転自在に設けると共に、薬剤保持体３０を空洞部１ａ内に回転しないように設け、前記回転体２０が回転することで空洞部１ａ内の空気が撹拌されて薬剤含浸体２ａに空気が触れて薬剤が揮散し、各空気流通口６から大気に拡散するようにしたことが第１の実施の形態と異なり、他は同様である。
【００５４】
例えば、図６に示すように、装置本体１の空洞部１ａに回転体２０を、その装置本体１が動作することで回転するように取付けると共に、薬剤保持体３０を取付ける。
前記回転体２０が回転すると空洞部１ａ内の空気が撹拌されると共に、空気流通口６を通って空気が空洞部１ａ内に流入、流出するようにする。
前記薬剤保持体３０は薬剤含浸体２ａを有し、空洞部１ａ内の空気が撹拌することで薬剤含浸体２ａに空気が触れて箔材を揮散するようにしてある。
空気流通口６は、装置本体１の裏面１ｂに開口している。
【００５５】
前記回転体２０に第１の磁石４が取付けてあると共に、装置本体１に第２の磁石５が取付けてあり、回転体２０が一方向に回転すると第１の磁石４が第２の磁石６に接近して反発力が生じ、その反発力によって回転体２０が他方向に回転し、再び第１の磁石４が第２の磁石５に接して反発力が生じて回転体２０が一方向に回転するようにしてある。
この動作を複数回繰り返すことで、回転体２０は複数回往復回転する。
【００５６】
そして、薬剤含浸体２ａから揮散した薬剤は、空気流通口６から身体に向けて拡散する。
【００５７】
次に、各部の好ましい形態を説明する。
装置本体１は取付本体１０と裏面カバー１５を有し、その取付本体１０は表面板１０ｃと筒体１０ｄで裏面が開口した箱形状である。
前記裏面カバー１５は、取付本体１０の開口部に嵌合して着脱自在に取付けて空洞部１ａを形成している。
この裏面カバー１５が装置本体１の裏面１ｂで、空気流通口６が形成してあると共に、リブ１３が設けてある。
【００５８】
前記薬剤保持体３０は、容器３２に薬剤含浸体２ａを設けたものである。
この容器３２は、前記装置本体１の取付本体１０の筒体１０ｄ内に挿入、抜き出し自在な大きさで、前記表面板１０ｃに形成した凹部１０ｅに嵌合して着脱自在に取付けられ、薬剤含浸体２ａが空洞部１ａに臨むむようにしてある。
【００５９】
前記回転体２０は、中央の円板２７に複数の羽根片２８を放射状に設けたもので、その円板２７に設けた回転軸２６を裏面カバー１５の穴１５ａに回転自在に支承し、装置本体１が動作することで回転するようにしてある。
前記羽根片２８に第１の磁石４が取付けてあると共に、裏面カバー１５に第２の磁石５が取付けられている。
【００６０】
このようであるから、裏面カバー１５を取り外しすることで、薬剤保持体３０を装置本体１から取り出して新しい薬剤保持体３０と交換できる。
【００６１】
次に、本発明の第３の実施の形態を説明する。
この実施の形態は、回転体２０を装置本体１の表面側に回転自在に取付け、薬剤保持体３０を裏面側に取付けたことが前述の第２の実施の形態と大きく相違し、他の構成は同様である。
例えば図７に示すように、装置本体１の取付本体１０のプレート１０ａに取付用開口部１０ｆを形成する。
この取付用開口部１０ｆに薬剤保持体３０の容器３２を嵌合して着脱自在に取付け、薬剤含浸体２ａを装置本体１の空洞部１ａ内に臨ませ、薬剤保持体３０を装置本体１の裏面に取付ける。
前記装置本体１のカバー体１１の表面板１１ａに穴１１ｃを形成し、この穴１１ｃに回転体２０の回転軸２６を回転自在に支承し、回転体２０を装置本体１の表面側に回転自在に取付ける。
【００６２】
前記容器３２の裏面３２ａを、装置本体１の裏面１ｂとすると共に、その容器３２の裏面３２ａにリブ１３を設ける。
前記取付本体１０のプレート１０ａにおける取付用開口部１０ｆよりも外周寄りに空気流通口６を形成する。
前記回転体２０に第１の磁石４を取付けると共に、前記プレート１０ａに第２の磁石５を取付ける。
この第２の磁石５をカバー体１１に取付けるようにしても良い。
【００６３】
次に、第４の実施の形態を説明する。
この実施の形態は、回転体をカバー体としたものである。
例えば、図８に示すように、取付本体１０にカバー体１１を回転自在に取付けて空洞部１ａを有した装置本体１とし、その装置本体１が動作することでカバー体１１が回転するようにする。
前記取付本体１０に薬剤保持体３０を、その薬剤含浸体２ａが空洞部１ａに臨むように取付ける。
前記カバー体１１（表面板１１ａ）に撹拌手段、例えば羽根１６を設け、カバー体１１が回転すると空洞部１ａ内の空気が撹拌されて薬剤含浸体薬剤含浸体２ａに空気が触れて薬剤が揮散し、空気流通口６から大気に揮散するようにする。
【００６４】
前記カバー体１１に第１の磁石４を取付けると共に、取付本体１０に第２の磁石５を取付ける。
そして、カバー体１１の回転によって第１の磁石４が第２の磁石５に接して反発力で逆回転するようにする。
【００６５】
具体的には、カバー体１１の表面板１１ａに回転軸１７を設け、この回転軸１７を取付本体１０のプレート１０ａに形成した穴１０ｇに回転自在に支承してカバー体１１を回転自在とする。
前記取付本体１０のプレート１０ａに環状の凹陥部１０ｈを設け、この凹陥部１０ｈに薬剤含浸体２ａを設ける。
【００６６】
前記取付本体１０のプレート１０ａの外周寄りに、リング状のカバー体ガード１８を設け、このカバー体ガード１８をカバー体１１の外周面（筒体１１ｂ）よりも外周寄りに位置し、そのカバー体１１の外周面における取付本体１０寄り部分をガードし、その部分にものが触れないようにしてある。
【００６７】
このようであるから、身体に着用して使用する際に、カバー体１１の外周面の取付本体１０寄り部分が衣服などの物に触れることをカバー体ガード１８で防止されるので、カバー体１１の回転が阻害されることがない。
【００６８】
前述の各実施の形態では装置本体１の裏面１ｂを凹凸形状としたが、装置本体１の裏面１ｂを着用具３の身体取付側部よりも表面側に大きくずれた段差を有した形状としても空気流通口６が身体で閉じることがないようにできる。
【００６９】
前述の各実施の形態では着用具３をフック３ａとしたが、バンドとしても良い。
例えば、図９に示すように装置本体１の裏面１ｂにバンド３ｂを取付け、このバンド３ｂを腕などの身体に巻きつけて着用する。
このようにした場合には、装置本体１の裏面１ｂを凹凸形状としなくともバンド３ｂが湾曲して装置本体１の裏面１ｂの外周寄り部分とバンド３ｂが離れるので、空気流通口６が身体で閉塞されることがない。
なお、装置本体１の裏面１ｂを、その外周寄り部分が斜めとなるようにし、その斜めの部分に空気流通口６を形成すれば、身体に着用した時に空気流通口６が身体で閉塞されることをより確実に防止できる。
【図面の簡単な説明】
【００７０】
【図１】本発明の第１の実施の形態を示す着用型薬剤拡散装置の背面図である。
【図２】図１のＡ−Ａ断面図である。
【図３】装置本体と薬剤保持手段の分解断面図である。
【図４】カバー体と薬剤保持体を取り外した状態の正面図である。
【図５】カバー体を取り外した状態の正面図である。
【図６】本発明の第２の実施の形態を示す断面図である。
【図７】本発明の第３の実施の形態を示す断面図である。
【図８】本発明の第４の実施の形態を示す断面図である。
【図９】本発明の第５の実施の形態を示す断面図である。
【符号の説明】
【００７１】
１…装置本体、１ａ…空洞部、１ｂ…裏面、２…薬剤保持手段、２ａ…薬剤含浸体、３…着用具、４…第１の磁石、５…第２の磁石、６…空気流通口、１０…取付本体、１１…カバー体、２０…回転体、３０…薬剤保持体。
【図１】
0004995124.tif 000002
【図２】
0004995124.tif 000003
【図３】
0004995124.tif 000004
【図４】
0004995124.tif 000005
【図５】
0004995124.tif 000006
【図６】
0004995124.tif 000007
【図７】
0004995124.tif 000008
【図８】
0004995124.tif 000009
【図９】
0004995124.tif 000010